(57)【要約】【課題】明るい所でも暗い所でも、十分な装飾効果が得られる。【解決手段】上部に時計ガラス２が装着されて内部に時計モジュール４が収納された光透過性を有する腕時計ケース１と、この腕時計ケース１の上面に設けられて紫外線領域の光に反応して可視光線領域の光を発光する発光部１５と、この発光部１５を除いて腕時計ケース１の表面に設けられた反射処理層１６と、腕時計ケース１中に紫外線領域の光を照射する紫外線発光素子１２とを備えた。従って、紫外線発光素子１２を発光させると、紫外線領域の光が腕時計ケース１中に照射され、この照射された紫外線領域の光が反射処理層１６で反射を繰り返して発光部１５に照射され、この発光部１５が照射された紫外線領域の光に反応して可視光線領域の光を発光する。これにより、明るい所でも暗い所でも、発光部１５による装飾効果を十分に得ることができる。【選択図】　　　　図２
2004069553.tif 000002
【特許請求の範囲】
【請求項１】
内部にモジュールが収納され、上部に保護ガラスが装着された光透過性を有する機器ケースと、
この機器ケースの外側の表面の少なくとも一部に設けられて紫外線領域の光に反応して可視光線領域の光を発光する発光部と、
少なくとも前記発光部を除いて前記機器ケースの表面のほぼ全域に設けられた反射処理層と、
前記機器ケース中に紫外線領域の光を照射する紫外線発光素子と
を備えたことを特徴とする電子機器。
【請求項２】
前記紫外線発光素子は前記モジュールに設けられ、前記機器ケースの内側の表面には前記紫外線発光素子で発光した紫外線領域の光を前記機器ケース中に導入する入光部が設けられていることを特徴とする請求項１に記載の電子機器。
【請求項３】
前記紫外線発光素子は前記機器ケース中に埋設されていることを特徴とする請求項１に記載の電子機器。
【請求項４】
前記機器ケースの内側の表面には、前記機器ケース中の紫外線領域の光を前記モジュールの上面に向けて出射する出光部が設けられ、前記モジュールの上面側には、紫外線領域の光に反応して可視光線領域の光を発光する発光部が前記保護ガラスに対応して設けられていることを特徴とする請求項１〜３のいずれかに記載の電子機器。
【請求項５】
前記機器ケースの外側の表面には装飾用の凹凸部が設けられ、この凹凸部の表面の一部には紫外線領域の光に反応して可視光線領域の光を発光する発光部が設けられていると共に、この発光部を除いて前記凹凸部の表面には反射処理層が設けられていることを特徴とする請求項１〜３のいずれかに記載の電子機器。
【請求項６】
前記機器ケースには操作部が設けられ、前記発光部は前記操作部の周囲に位置する前記機器ケースの外側の表面に設けられていることを特徴とする請求項１に記載の電子機器。
【発明の詳細な説明】
【０００１】
【発明の属する技術分野】
この発明は、腕時計や携帯電話機などの電子機器に関する。
【０００２】
【従来の技術】
例えば、腕時計においては、腕時計ケースによって内部に収納される時計モジュールを外部の衝撃から保護するほか、装飾的な効果を得るために腕時計ケースの外表面に装飾を施したものがある。
【０００３】
【発明が解決しようとする課題】
しかしながら、このような腕時計では、明るい所で腕時計ケースの外表面に施された装飾を視認することができても、暗い所で腕時計ケースの外表面に施された装飾を視認することができないため、十分な装飾効果が得られないという問題がある。
【０００４】
この発明の課題は、明るい所でも暗い所でも、十分な装飾効果が得られるようにすることである。
【０００５】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図１１に示すように、内部にモジュール（時計モジュール４、３５、モジュール５４）が収納され、上部に保護ガラス（時計ガラス２、保護ガラス５１）が装着された光透過性を有する機器ケース（腕時計ケース１、機器ケース５０）と、この機器ケースの外側の表面の少なくとも一部に設けられて紫外線領域の光に反応して可視光線領域の光を発光する発光部（１５、３０）と、少なくとも前記発光部を除いて前記機器ケースの表面のほぼ全域に設けられた反射処理層（１６）と、前記機器ケース中に紫外線領域の光を照射する紫外線発光素子（１２）とを備えたことを特徴とする電子機器である。
【０００６】
この発明によれば、紫外線発光素子を発光させると、紫外線領域の光が機器ケース中に照射され、この照射された紫外線領域の光が機器ケースの表面のほぼ全域に設けられた反射処理層によって機器ケース中で反射を繰り返して機器ケースの発光部に照射され、この照射された紫外線領域の光に発光部が反応して可視光線領域の光を発光するので、この発光部による発光を視認することができ、これにより明るい所でも暗い所でも、発光部による装飾効果を十分に得ることができる。
【０００７】
請求項２に記載の発明は、図１、図２、図４、図６〜図１１に示すように、前記紫外線発光素子（１２）が前記モジュール（時計モジュール４、３５、モジュール５４）に設けられ、前記機器ケース（腕時計ケース１、機器ケース５０）の内側の表面に、前記紫外線発光素子で発光した紫外線領域の光を前記機器ケース中に導入する入光部（１４、５８）が設けられていることを特徴とする請求項１に記載の電子機器である。
この発明によれば、紫外線発光素子をモジュールに設けたので、紫外線発光素子を容易に組み込むことができると共に、この紫外線発光素子で発光した紫外線領域の光を機器ケースの入光部から良好に機器ケース中に採り込むことができ、これにより発光部を十分に発光させることができる。
【０００８】
請求項３に記載の発明は、図３および図５に示すように、前記紫外線発光素子（１２）が前記機器ケース（時計モジュール４）中に埋設されていることを特徴とする請求項１に記載の電子機器である。
この発明によれば、紫外線発光素子を機器ケース中に埋設したので、紫外線発光素子で発光した紫外線領域の光を外部に漏らすことなく機器ケースの発光部に確実に且つ効率良く照射させることができ、これにより請求項２に記載の発明よりも発光部を十分に発光させることができる。
【０００９】
請求項４に記載の発明は、図４、図５、図８〜図１１に示すように、前記機器ケース（腕時計ケース１、機器ケース５０）の内側の表面に、前記機器ケース中の紫外線領域の光を前記モジュール（時計モジュール４、３５、モジュール５４）の上面に向けて出射する出光部（２０、５９）が設けられ、前記モジュールの上面側に、紫外線領域の光に反応して可視光線領域の光を発光する発光部（２１、３７）が前記保護ガラス（時計ガラス２、保護ガラス５１）に対応して設けられていることを特徴とする請求項１〜３のいずれかに記載の電子機器である。
【００１０】
この発明によれば、請求項１に記載の発明と同様の作用効果があるほか、機器ケース中の紫外線領域の光が機器ケースの出光部から機器ケース内のモジュールの上面に向けて出射されるので、モジュールの上面側に設けられた発光部に紫外線領域の光を照射することができ、これにより発光部が紫外線領域の光に反応して可視光線領域の光を発光し、この発光した可視光線領域の光が保護ガラスを通して外部に出射されるので、モジュールの発光部による発光をも視認することができ、より一層、装飾性に優れたものを得ることができる。
【００１１】
請求項５に記載の発明は、図６に示すように、前記機器ケース（腕時計ケース１）の外側の表面に装飾用の凹凸部（２５）が設けられ、この凹凸部の表面の一部に紫外線領域の光に反応して可視光線領域の光を発光する発光部（２６）が設けられていると共に、この発光部を除いて前記凹凸部の表面に反射処理層（１６）が設けられていることを特徴とする請求項１〜３のいずれかに記載の電子機器である。
【００１２】
この発明によれば、機器ケースの凹凸部の表面に設けられた反射処理層によって紫外線領域の光が乱反射されて、機器ケースの外側の表面の一部に設けられた発光部に照射されるので、請求項１に記載の発明と同様の作用効果があるほか、凹凸部の表面の一部に設けられた発光部にも紫外線領域の光が照射され、この紫外線領域の光に凹凸部の発光部が反応して可視光線領域の光を発光するので、機器ケースの発光部と凹凸部の発光部との両方による装飾効果が得られると共に、凹凸部に設けられた発光部によって立体的な装飾効果を得ることができ、より一層、装飾性に優れたものを得ることができる。
【００１３】
請求項６に記載の発明は、図７に示すように、前記機器ケース（腕時計ケース１）に操作部（操作釦７）が設けられ、前記発光部（３０）が前記操作部の周囲に位置する前記機器ケースの外側の表面に設けられていることを特徴とする請求項１に記載の電子機器である。
この発明によれば、紫外線発光素子を発光させて紫外線領域の光が発光部に照射されると、この発光部が可視光線領域の光を操作部の周囲で発光するので、明るい所でも暗い所でも十分な装飾効果が得られると共に、暗い所でも発光部の発光により操作部を視認することができ、これにより暗い所でも操作部を良好に操作することができる。
【００１４】
【発明の実施の形態】
［第１実施形態］
以下、図１および図２を参照して、この発明を腕時計に適用した第１実施形態について説明する。
図１はこの発明の腕時計の平面図、図２はそのＡ−Ａ矢視における要部の拡大断面図である。この腕時計は、腕時計ケース１を備えている。この腕時計ケース１の上部には、図２に示すように、時計ガラス２がパッキン３を介して装着されており、腕時計ケース１の内部には、時計モジュール４が収納されている。また、腕時計ケース１の下部には、裏蓋５が防水リング６を介して取り付けられており、腕時計ケース１の側面には、図１に示すように、操作釦７が設けられている。
【００１５】
時計モジュール４は、アナログ機能とデジタル機能とのうち、少なくともアナログ機能を備えている。すなわち、この時計モジュール４は、図２に示すように、ハウジング８を備え、このハウジング８の上面に文字板９が配置され、ハウジング８の内部に設けられたアナログムーブメント（図示せず）の指針軸１０が文字板９の貫通孔９ａを通して上方に突出し、この突出し指針軸１０の先端部に時針、分針、秒針などの指針１１が取り付けられ、これら指針１１が文字板９の上方を運針するように構成されている。
【００１６】
この時計モジュール４における文字板９の下側には、図２に示すように、紫外線発光素子１２が腕時計ケース１の内側の表面に対向して設けられている。この紫外線発光素子１２は、波長が３５０〜４００ｎｍ（ナノメートル：ナノは１０億分の１メートル）、好ましくは３５０〜３８０ｎｍの近紫外線（ＵＶ−Ａ）を発光するブラックライトと呼ばれる紫外線発光ダイオード（ＬＥＤ）などで構成され、発光した紫外線領域の光を腕時計ケース１中に照射するように構成されている。
【００１７】
一方、腕時計ケース１は、図２に示すように、ＰＣ（ポリカーボネート）やＰＭＭＡ（アクリル）などの透明または半透明な合成樹脂、つまり光透過性を有する合成樹脂で形成されている。この腕時計ケース１の内周面には、時計ガラス２と文字板９との間に突出する見切り部１３が鍔状に形成されており、この腕時計ケース１の内周面の一部には、紫外線発光素子１２で発光した紫外線領域の光を腕時計ケース１中に導入する入光部１４が紫外線発光素子１２に対応して設けられている。
【００１８】
また、この腕時計ケース１の外側に位置する上面には、図１および図２に示すように、発光部１５が時計ガラス２の外周に沿ってほぼリング状に形成されており、腕時計ケース１の外側および内側の表面のほぼ全域には、発光部１５および入光部１４を除いて反射処理層１６が蒸着やメッキなどによって形成されている。この場合、発光部１５は、波長が３５０〜４２０ｎｍまたは２５４〜３６５ｎｍの紫外線領域の光に反応して可視光線領域の光を発光し、紫外線領域の光が照射されないときに透明な状態を呈するものであり、その発光色は、白色であっても良く、また赤、青、緑（黄色）を基本とする有色であっても良い。この場合の色バリエーションは１０〜１３種類ある。
【００１９】
このような腕時計によれば、明るい所で外部光が時計ガラス２を透過して腕時計ケース１内の時計モジュール４に照射されるので、時計モジュール４の文字板９および指針１１によって時刻を知ることができると共に、腕時計ケース１の外側の表面にも外部光が照射されるので、腕時計ケース１の発光部１５を視認することができる。この場合、紫外線領域の光を含まない室内などの明るい所では、発光部１５が発光することはないが、この発光部１５を透明な状態で視認することができる。また、紫外線領域の光を含む屋外など明るい所では、発光部１５が紫外線領域の光に反応して可視光線領域の光で発光するので、その発光部１５の発光状態を視認することができる。
【００２０】
また、紫外線発光素子１２を発光させると、紫外線領域の光が腕時計ケース１の入光部１４から腕時計ケース１中に照射され、この照射された紫外線領域の光が腕時計ケース１の表面に設けられた反射処理層１６によって腕時計ケース１中で反射を繰り返して腕時計ケース１の上部に設けられた発光部１５に照射される。これにより、発光部１５が紫外線領域の光に反応して可視光線領域の光を発光するので、明るい所でも暗い所でも、発光部１５による発光状態を視認することができる。このときには、発光部１５が時計ガラス２の外周に沿って腕時計ケース１の上面にリング状に設けられているので、発光部１５が発光すると、発光部１５全体がリング状に発光するため、特に暗い所では装飾効果が高い。
【００２１】
このように、この腕時計によれば、明るい所でも暗い所でも、発光部１５による発光状態を視認することができるので、発光部１５による装飾効果を十分に得ることができるほか、紫外線発光素子１２を時計モジュール４に設けたので、紫外線発光素子１２を腕時計ケース１内に容易に組み込むことができると共に、この紫外線発光素子１２が腕時計ケース１の内周面の一部に設けられた入光部１４に対向しているので、紫外線発光素子１２で発光した紫外線領域の光を腕時計ケース１の入光部１４から良好に腕時計ケース１中に採り込むことができ、これにより発光部１５を十分に発光させることができる。
【００２２】
なお、上記第１実施形態では、腕時計ケース１内に収納された時計モジュール４に紫外線発光素子１２を設けた場合について述べたが、これに限らず、例えば図３に示すように、紫外線発光素子１２を腕時計ケース１中に埋設した構造でも良い。この場合には、紫外線発光素子１２のリード線１２ａを腕時計ケース１内の時計モジュール４に導いて電気的に接続すれば良い。このような構造では、紫外線発光素子１２で発光した紫外線領域の光を外部に漏らすことなく腕時計ケース１の発光部１５に確実に且つ効率良く照射させることができ、このため第１実施形態の場合よりも発光部１５を十分に発光させることができる。
【００２３】
［第２実施形態］
次に、図４を参照して、この発明を腕時計に適用した第２実施形態について説明する。なお、図１および図２に示された第１実施形態と同一部分には同一符号を付して説明する。
この腕時計は、腕時計ケース１の見切り部１３の内周面に出光部２０を設けると共に、文字板９の上面に発光部２１を設けた構造で、これ以外は第１実施形態と同じ構造になっている。この場合にも、腕時計ケース１の上面には、発光部１５が時計ガラス２の外周に沿ってリング状に設けられており、この腕時計ケース１の表面には、反射処理層１６が発光部１５、入光部１４、および出光部２０を除いて設けられている。
【００２４】
また、腕時計ケース１の見切り部１３は、時計ガラス２と文字板９との間に位置しており、この見切り部１３の内周面に設けられた出光部２０は、腕時計ケース１中に照射された紫外線領域の光を文字板９の周囲から文字板９の上面に向けて出射するように構成されている。また、発光部２１は、第１実施形態の発光部１５と同様、紫外線領域の光に反応して可視光線領域の光を発光し、紫外線領域の光が照射されないときに透明な状態を呈するものであり、文字板９の上面に模様やマーク、図形などを表現するように部分的に設けられていても良く、また文字板９の上面全体に設けられていても良い。なお、この発光部２１の発光色は、白色であっても良く、また赤、青、緑（黄色）を基本とする有色であっても良い。
【００２５】
このような腕時計によれば、明るい所では、第１実施形態と同様、外部光によって腕時計ケース１の発光部１５を視認することができると共に、時計モジュール４の文字板９および指針１１によって時刻を知ることができる。この場合、紫外線領域の光を含まない室内などの明るい所では、腕時計ケース１の上面に設けられた発光部１５を透明な状態で視認することができると共に、文字板９に設けられた発光部２１が透明な状態を呈するので、文字板９の発光部２１の影響を受けずに、文字板９自体を視認することができる。また、紫外線領域の光を含む屋外などの明るい所では、腕時計ケース１の発光部１５と文字板９の発光部２１との両者が紫外線領域の光に反応して可視光線領域の光を発光するので、その両者の発光状態を視認することができる。
【００２６】
また、紫外線発光素子１２を発光させて腕時計ケース１中に紫外線領域の光を照射すると、腕時計ケース１中で紫外線領域の光が反射処理層１６によって反射を繰り返し、腕時計ケース１の上面に設けられた発光部１５に照射されて、この発光部１５が可視光線領域の光を発光するほか、見切り部１３の出光部２０から文字板９の上面に向けて出射されるので、紫外線領域の光が文字板９の周囲から文字板９の上面に照射され、この照射された紫外線領域の光に文字板９上の発光部２１が反応して可視光線領域の光を発光し、この可視光線領域の光が時計ガラス２を透過して外部に出射する。これにより、明るい所でも暗い所でも、腕時計ケース１の発光部１５の発光状態と文字板９の発光部２１の発光状態との両方を視認することができ、特に暗い所では、その両者の発光状態を鮮明に見ることができる。
【００２７】
このように、この腕時計によれば、明るい所でも暗い所でも、腕時計ケース１の上面に設けられた発光部１５と文字板９の上面に設けられた発光部２１との両方の発光状態を視認することができるので、第１実施形態のものよりも、より一層、装飾性に優れたものを得ることができる。この場合、特に文字板９の上面に発光部２１が模様やマーク、図形などを表現するように部分的に設けられていれば、発光部２１の発光状態によるバリエーションが豊富になり、より一層、装飾性に優れたものを得ることができる。また、文字板９の上面全体に発光部２１が設けられていれば、文字板９全体を明るく照明することができ、鮮明に時刻を知ることができる。
【００２８】
なお、上記第２実施形態では、腕時計ケース１内に収納された時計モジュール４に紫外線発光素子１２を設けた場合について述べたが、これに限らず、例えば図５に示すように、紫外線発光素子１２を腕時計ケース１中に埋設した構造でも良い。この場合にも、第１実施形態の変形例と同様、紫外線発光素子１２のリード線１２ａを腕時計ケース１内の時計モジュール４に導いて電気的に接続すれば良い。このような構造では、紫外線発光素子１２で発光した紫外線領域の光を外部に漏らすことなく腕時計ケース１の発光部１５および文字板９の発光部２１に確実に且つ効率良く照射させることができ、このため第２実施形態の場合よりも各発光部１５、２１を十分に発光させることができる。
【００２９】
［第３実施形態］
次に、図６を参照して、この発明を腕時計に適用した第３実施形態について説明する。この場合にも、図１および図２に示された第１実施形態と同一部分に同一符号を付して説明する。
この腕時計は、腕時計ケース１の外側の表面に装飾用の凹凸部２５を形成し、この凹凸部２５の外表面に反射処理層１６と発光部２６とを設けた構造で、これ以外は第１実施形態と同じ構造になっている。この場合にも、腕時計ケース１の上面には、発光部１５が時計ガラス２の外周に沿ってリング状に設けられており、この腕時計ケース１の表面には、反射処理層１６が発光部１５、２６および入光部１４を除いて設けられている。
【００３０】
装飾用の凹凸部２５は、腕時計ケース１の外周面に連続して形成されていても良く、また部分的に形成されていても良い。この凹凸部２５の発光部２６は、第１実施形態と同様、紫外線領域の光に反応して可視光線領域の光を発光し、紫外線領域の光が照射されないときに透明な状態を呈するものであり、凹凸部２５の表面に部分的に設けられている。なお、この発光部２６の発光色は、白色であっても良く、また赤、青、緑（黄色）を基本とする有色であっても良い。また、反射処理層１６は、凹凸部２５の表面を含む腕時計ケース１の内外の表面のほぼ全域に発光部１５、２６および入光部１４を除いて蒸着やメッキなどによって形成されている。
【００３１】
このような腕時計によれば、紫外線発光素子１２を発光させて紫外線領域の光を腕時計ケース１の入光部１４から腕時計ケース１中に照射させると、この腕時計ケース１中に照射された紫外線領域の光が腕時計ケース１の凹凸部２５の表面に設けられた反射処理層１６によって乱反射されて、腕時計ケース１の上面に設けられた発光部１５に照射されるので、第１実施形態と同様の作用効果があるほか、特に凹凸部２５に設けられた発光部２６にも紫外線領域の光が照射され、この紫外線領域の光に発光部２６が反応して可視光線領域の光を発光するので、腕時計ケース１の上面の発光部１５と凹凸部２５の発光部２６との両方による装飾効果が得られると共に、凹凸部２５に設けられた発光部２６の発光によって立体的な装飾効果を得ることができ、これにより、より一層、装飾性に優れたものを得ることができる。
【００３２】
［第４実施形態］
次に、図７を参照して、この発明を腕時計に適用した第４実施形態について説明する。この場合にも、図１および図２に示された第１実施形態と同一部分に同一符号を付して説明する。
この腕時計は、腕時計ケース１の側面に設けられた操作釦７の周囲に位置する腕時計ケース１の外側の表面のみに発光部３０を設けた構造で、これ以外は第１実施形態とほぼ同じ構造になっている。
【００３３】
すなわち、操作釦７は、図７に示すように、釦部７ａと釦軸７ｂとからなり、釦部７ａが腕時計ケース１の外面側に設けられた大径の孔部３１ａ内に出没可能に配置され、釦軸７ｂが腕時計ケース１の内面側に設けられて大径の孔部３１ａに連続する小径の孔部３１ｂ内に防水リング３３を介してスライド可能に取り付けられ、腕時計ケース１の外部から釦部７ａが押されると、釦軸７ｂがスライドしてその内端部が腕時計ケース１内に突出することにより、スイッチがオンするように構成されている。
【００３４】
また、この腕時計ケース１は、釦部７ａが挿入する大径の孔部３１ａの外周部がリング状に突出して形成されており、このリング状に突出した腕時計ケース１の表面には、発光部３０が設けられている。この発光部３０も、第１実施形態の発光部１５と同様、紫外線領域の光に反応して可視光線領域の光を発光し、紫外線領域の光が照射されないときに透明な状態を呈するものであり、その発光色は、白色であっても良く、また赤、青、緑（黄色）を基本とする有色であっても良い。なお、反射処理層１６は、発光部３０および入光部１４を除いて腕時計ケース１の内外の表面のほぼ全域に蒸着やメッキなどによって形成されており、腕時計ケース１の上面には発光部１５が設けられていない。
【００３５】
このような腕時計によれば、明るい所では外部光によって腕時計ケース１の発光部３０および操作釦７の釦部７ａを視認することができると共に、時計モジュール４の文字板９および指針１１によって時刻を知ることができる。この場合、紫外線領域の光を含まない室内などの明るい所では、発光部３０が発光することはないが、この発光部３０を透明な状態で視認することができる。また、紫外線領域の光を含む屋外など明るい所では、発光部３０が紫外線領域の光に反応して可視光線領域の光で発光するので、その発光状態を視認することができる。
【００３６】
また、紫外線発光素子１２を発光させて紫外線領域の光を腕時計ケース１中に照射し、この紫外線領域の光が発光部３０に照射されると、発光部３０が紫外線領域の光に反応して可視光線領域の光を操作釦７の周囲でリング状に発光するので、腕時計ケース１の上面に発光部１５が設けられていなくても、発光部３０のリング状の発光による装飾効果を得ることができると共に、明るい所でも暗い所でも発光部３０の発光によって操作釦７を視認することができ、これにより暗い所でも操作釦７を良好に操作することができる。
【００３７】
［第５実施形態］
次に、図８および図９を参照して、この発明を腕時計に適用した第５実施形態について説明する。この場合には、図４に示された第２実施形態と同一部分に同一符号を付して説明する。
この腕時計は、時計モジュール３５がアナログ機能に換えてデジタル機能を備えた構造で、これ以外は第２実施形態とほぼ同じ構造になっている。すなわち、この時計モジュール３５は、ハウジング８の上部に液晶表示素子３６を時計ガラス２に対向させて配置し、この液晶表示素子３６に後述する発光部３７を設けると共に、液晶表示素子３６の下側に紫外線発光素子１２を腕時計ケース１の入光部１４に対向させて設けた構造になっている。
【００３８】
この場合、液晶表示素子３６は、図９に示すように、上下一対の透明な電極基板３８、３９間に液晶（図示せず）を封入し、上側の電極基板３８の上面と下側の電極基板３９の下面とにそれぞれ偏光板４０、４１を設け、下側の偏光板４１の下側に反射板４２を設け、この反射板４２の上面に発光部３７を下側の偏光板４１に対向させて設け、この状態で一対の電極基板３８、３９間に選択的に電圧を印加することにより、その電圧印加に応じて時刻などの情報を表示するように構成されている。
【００３９】
ところで、発光部３７は、第１実施形態と同様、紫外線領域の光に反応して可視光線領域の光を発光し、紫外線領域の光が照射されないときに透明な状態を呈するものであり、図９に示すように、反射板４２の上面全体に設けられている。また、腕時計ケース１の内周面には、時計ガラスと液晶表示素子３６との間に突出する見切り部１３が鍔状に形成されており、この見切り部１３の内周面には、腕時計ケース１中に照射された紫外線領域の光を液晶表示素子３６の周囲から液晶表示素子３６の上面に向けて出射する出光部２０が設けられている。この場合にも、腕時計ケース１の上面には、発光部１５が時計ガラス２の外周に沿ってリング状に設けられており、この腕時計ケース１の表面には、反射処理層１６が発光部１５、入光部１４、および出光部２０を除いて設けられている。
【００４０】
このような腕時計によれば、第１実施形態と同様、紫外線領域の光を含まない室内などの明るい所では、外部光によって腕時計ケース１の発光部１５を視認することができると共に、時計モジュール３５の液晶表示素子３６によって時刻を知ることができる。すなわち、外部光が時計ガラス２を透過して液晶表示素子３６に照射されると、液晶表示素子３６に設けられた発光部１５が透明な状態を呈するので、上側の偏光板４０、一対の電極基板３８、３９、および下側の偏光板４１を透過して反射板４２で反射され、この反射された光が上記逆の光路を経て時計ガラス２から外部に出射されるので、液晶表示素子３６に表示された時刻などの情報を視認することができる。
【００４１】
また、紫外線発光素子１２を発光させて腕時計ケース１中に紫外線領域の光を照射すると、第１実施形態と同様、腕時計ケース１中で紫外線領域の光が反射処理層１６によって反射を繰り返し、腕時計ケース１の上面に設けられた発光部１５に照射されるほか、見切り部１３の出光部２０から液晶表示素子３６の上面に向けて出射されて液晶表示素子３６に設けられた発光部３７にも照射され、これにより腕時計ケース１の発光部１５と液晶表示素子３６の発光部３７との両方がそれぞれ紫外線領域の光に反応して可視光線領域の光を発光するので、明るい所でも暗い所でも、腕時計ケース１の発光部１５の発光状態と液晶表示素子３６の発光部３７による発光状態との両方を視認することができ、これにより装飾性に優れたものを得ることができる。
【００４２】
このときには、液晶表示素子３６の発光部３７が紫外線領域の光に反応して可視光線領域の光を発光し、この可視光線領域の光によって液晶表示素子３６が照明されるので、発光部３７がバックライトとして機能し、これにより暗い所でも液晶表示素子３６に表示された時刻などの情報を視認することができる。特に、発光部３７が反射板４２の上面全体に設けられているので、発光部３７全体が発光して液晶表示素子３６全体を明るく照明することができる。なお、発光部３７は必ずしも反射板４２の上面全体に設ける必要はなく、模様やマーク、図形などを表現するように部分的に設けても良く、また液晶表示素子３６の上面つまり上側の偏光板４０の上面に部分的に設けても良い。このように構成すれば、第２実施形態と同様、より一層、装飾性に富んだものを得ることができる。
【００４３】
なお、上記第５実施形態では、腕時計ケース１内に収納された時計モジュール３５に紫外線発光素子１２を設けた場合について述べたが、これに限らず、例えば図５に示した第２実施形態の変形例のように、紫外線発光素子１２を腕時計ケース１中に埋設した構造でも良い。この場合にも、第２実施形態の変形例と同様、紫外線発光素子１２のリード線１２ａを腕時計ケース１内の時計モジュール３５に導いて電気的に接続すれば良い。このような構造では、紫外線発光素子１２で発光した紫外線領域の光を外部に漏らすことなく腕時計ケース１の発光部１５および液晶表示素子３６の発光部３７に確実に且つ効率良く照射させることができ、このため第５実施形態の場合よりも各発光部１５、３７を十分に発光させることができる。
【００４４】
また、上記第５実施形態では、腕時計ケース１の内周面に時計ガラス２と液晶表示素子３６との間に突出して設けられた見切り部１３の内周面に出光部１３を設けたが、必ずしも見切り部１３の内周面に出光部２０を設ける必要はなく、見切り部１３の内周面に反射処理層１６を連続させて形成しても良い。この場合には、腕時計ケース１中の紫外線領域の光が液晶表示素子３６に照射されないため、液晶表示素子３６に発光部３７を設ける必要はない。このような腕時計でも、第１実施形態と同様、腕時計ケース１の上面に設けられた発光部１５が紫外線領域の光に反応して発光するので、明るい所でも暗い所でも、装飾効果を得ることができる。
【００４５】
［第６実施形態］
次に、図１０および図１１を参照して、この発明を携帯電話機に適用した第６実施形態について説明する。この場合には、図８および図９に示された第５実施形態と同一部分に同一符号を付して説明する。
この携帯電話機は、上ケースと下ケースとを接合してなる機器ケース５０を備えている。この機器ケース５０の上面には、図１０に示すように、その上部側（同図では右上側）に透明な保護ガラス５１が装着されていると共に、下部側（同図では左下側）に電話機能に必要な各種のキー釦５２が設けられている。また、この機器ケース５０の上部側の側面には、機器ケース５０内に向けて出没するアンテナ５３が取り付けられている。
【００４６】
また、この機器ケース５０の内部には、図１１に示すように、モジュール５４が収納されている。このモジュール５４は、ハウジング５５を備え、このハウジング５５の上面側に液晶表示素子５６が設けられ、この液晶表示素子５６の下側に紫外線発光素子１２が機器ケース５０の内面に向けて設けられているほか、電話機能に必要な各種の部品（図示せず）がハウジング５５に設けられた構造になっている。この場合、液晶表示素子５６は、第５実施形態の液晶表示素子３６と同様、上部側から順に、上側の偏光板４０、上下一対の透明な電極基板３８、３９、下側の偏光板４１、発光部３７、および反射板４２を備え、一対の電極基板３８、３９間に選択的に電圧を印加することにより、電話番号や通話状態などの情報を表示するように構成されている。
【００４７】
また、紫外線発光素子１２は、第１実施形態と同様、紫外線領域の光を発光するブラックライトと呼ばれる紫外線発光ダイオード（ＬＥＤ）などで構成され、発光した紫外線領域の光を機器ケース５０中に照射するように構成されている。一方、機器ケース５０は、第１実施形態と同様、ＰＣ（ポリカーボネート）やＰＭＭＡ（アクリル）などの透明または半透明な合成樹脂、つまり光透過性を有する合成樹脂で形成されている。この機器ケース５０の内周面には、図１１に示すように、保護ガラス５１と液晶表示素子５６との間に突出する見切り部５７が鍔状に形成されている。
【００４８】
また、この機器ケース５０の内周面の一部には、図１１に示すように、紫外線発光素子１２で発光した紫外線領域の光を機器ケース５０中に導入する入光部５８が紫外線発光素子１２に対応して設けられている。この機器ケース５０の上面には、図１０および図１１に示すように、発光部１５が保護ガラス５１およびキー釦部５２を囲むように設けられており、機器ケース５０の見切り部５７の内周面には、機器ケース５０中に導入された紫外線領域の光を液晶表示素子５６の上面に向けて出射する出光部５９が設けられている。さらに、機器ケース５０の表面におけるほぼ全域には、発光部１５、入光部５８、および出光部５９を除いて反射処理層１６が蒸着やメッキなどによって形成されている。
【００４９】
さらに、液晶表示素子５６に設けられた発光部３７は、反射板４２の上面全体に設けられているが、反射板４２の上面に模様やマーク、図形などを表現するように部分的に設けても良く、また液晶表示素子５６の上面つまり上側の偏光板４０の上面に設けても良い。この場合にも、機器ケース５０の上面に設けられた発光部１５と、液晶表示素子５６に設けられた発光部３７とはそれぞれ、第１実施形態と同様、紫外線領域の光に反応して可視光線領域の光を発光し、紫外線領域の光が照射されないときに透明な状態を呈するものであり、その発光色は、白色であっても良く、また赤、青、緑（黄色）を基本とする有色であっても良い。
【００５０】
このような携帯電話機によれば、紫外線領域の光を含まない室内などの明るい所で外部光が機器ケース５０の上面に外部光が照射されるので、機器ケース５０の発光部１５を視認することができると共に、保護ガラス５１を透過して機器ケース５０内のモジュール５４にも照射されるので、液晶表示素子５６に表示された情報を視認することができる。このときには、機器ケース５０の発光部１５が発光しないが、この発光部１５を透明な状態で視認することができると共に、液晶表示素子５６に設けられた発光部３７が透明な状態を呈するので、液晶表示素子５６の発光部３７の影響を受けずに、液晶表示素子５６に表示された情報を視認することができる。
【００５１】
また、紫外線発光素子１２を発光させると、紫外線領域の光が機器ケース５０の入光部５８から機器ケース５０中に入射し、この入射した紫外線領域の光が反射処理層１６によって機器ケース５０中で反射を繰り返し、機器ケース５０の上面に設けられた発光部１５に照射されて、この発光部１５が可視光線領域の光を発光するほか、見切り部５７の出光部５９から液晶表示素子５６の上面に向けて出射され、この出射された紫外線領域の光が液晶表示素子５６の周囲からその上面に照射され、この照射された紫外線領域の光に液晶表示素子５６に設けられた発光部３７が反応して可視光線領域の光を発光し、この可視光線領域の光が保護ガラス５１を透過して外部に出射する。
【００５２】
これにより、明るい所でも暗い所でも液晶表示素子５６に表示された情報を視認することができるほか、特に機器ケース５０の発光部１５の発光状態と液晶表示素子５６の発光部３７による発光状態との両方を視認することができ、このため、第５実施形態と同様、装飾性に優れたものを得ることができる。この場合にも、発光部３７が液晶表示素子５６の反射板４２の上面全体に設けられていので、発光部３７がバックライトして機能し、液晶表示素子５６全体を明るく照明することができる。なお、発光部３７が液晶表示素子５６の反射板４２または上側の偏光板４０の各上面に模様やマーク、図形などを表現するように部分的に設けられていれば、装飾性に富んだものを得ることができる。
【００５３】
なお、上記第６実施形態では、機器ケース５０内に収納されたモジュール５４に紫外線発光素子１２を設けた場合について述べたが、これに限らず、例えば図５に示した第２実施形態の変形例のように、紫外線発光素子１２を機器ケース５０中に埋設した構造でも良い。この場合にも、第２実施形態の変形例と同様、紫外線発光素子１２のリード線１２ａを機器ケース５０内のモジュール５４に導いて電気的に接続すれば良い。このような構造では、紫外線発光素子１２で発光した紫外線領域の光を外部に漏らすことなく機器ケース５０の発光部１５および液晶表示素子５６の発光部３７に確実に且つ効率良く照射させることができ、このため第６実施形態の場合よりも各発光部１５、３７を十分に発光させることができる。
【００５４】
また、上記第６実施形態では、機器ケース５０の内周面に保護ガラス５１と液晶表示素子５６との間に突出して設けられた見切り部５７の内周面に出光部５９を設けたが、必ずしも見切り部５７の内周面に出光部５９を設ける必要はなく、見切り部５７の内周面に反射処理層１６を連続させて形成しても良い。この場合には、機器ケース５０中の紫外線領域の光が液晶表示素子５６に照射されないため、液晶表示素子５６に発光部３７を設ける必要はない。このような携帯電話機でも、機器ケース５０の上面に設けられた発光部１５が紫外線領域の光に反応して発光するので、明るい所でも暗い所でも、装飾効果を得ることができる。
【００５５】
また、上記第６実施形態においても、図６に示した第３実施形態と同様、機器ケース５０の外側の表面に装飾用の凹凸部２５を形成し、この装飾用の凹凸部２５の表面に発光部２６を設けると共に、こ発光部２６を除いて反射処理膜１５を設けた構造でも良い。このようにすれば、第３実施形態と同様、機器ケース５０の上面の発光部１５と凹凸部２５の発光部２６との両方による装飾効果が得られると共に、凹凸部２５に設けられた発光部２６の発光によって立体的な装飾効果を得ることができ、より一層、装飾性に優れたものを得ることができる。
【００５６】
さらに、上記第６実施形態においても、図７に示した第４実施形態と同様、機器ケース５０の上面に設けられた各種のキー釦５２をそれぞれ囲むように発光部３０を設けた構造でも良い。このようにすれば、第４実施形態と同様、発光部３０が紫外線領域の光に反応して可視光線領域の光を各キー釦５２の周囲でそれぞれ枠状に発光するので、機器ケース５０の上面に発光部１５を設けなくても、発光部３０の枠状の発光によって装飾効果を得ることができると共に、明るい所でも暗い所でも発光部３０の発光により各キー釦５２を視認することができ、これにより暗い所でもキー釦５２を良好に操作することができる。
【００５７】
【発明の効果】
以上説明したように、この発明によれば、内部にモジュールが収納され、上部に保護ガラスが装着された光透過性を有する機器ケースと、この機器ケースの外側の表面の少なくとも一部に設けられて紫外線領域の光に反応して可視光線領域の光を発光する発光部と、少なくともこの発光部を除いて機器ケースの表面のほぼ全域に設けられた反射処理層と、機器ケース中に紫外線領域の光を照射する紫外線発光素子とを備えたので、紫外線発光素子を発光させると、紫外線領域の光が機器ケース中に照射され、この照射された紫外線領域の光が機器ケースの表面のほぼ全域に設けられた反射処理層によって機器ケース中で反射を繰り返して機器ケースの発光部に照射され、この照射された紫外線領域の光に発光部が反応して可視光線領域の光を発光するので、この発光部による発光を視認することができ、これにより明るい所でも暗い所でも、発光部による装飾効果を十分に得ることができる。
【００５８】
この場合、機器ケースの内側の表面に機器ケース中の紫外線領域の光をモジュールの上面に向けて出射する出光部を設け、モジュールの上面側に紫外線領域の光に反応して可視光線領域の光を発光する発光部を保護ガラスに対応させて設ければ、機器ケース中の紫外線領域の光が機器ケースの出光部から機器ケース内のモジュールの上面に向けて出射されるので、モジュールの上面側に設けられた発光部に紫外線領域の光を照射することができ、これにより発光部が紫外線領域の光に反応して可視光線領域の光を発光し、この発光した可視光線領域の光が保護ガラスを通して外部に出射されるので、モジュールの発光部による発光をも視認することができ、より一層、装飾性に優れたものを得ることができる。
【００５９】
また、機器ケースの外側の表面に装飾用の凹凸部を設け、この凹凸部の表面の一部に紫外線領域の光に反応して可視光線領域の光を発光する発光部を設けると共に、この発光部を除いて凹凸部の表面に反射処理層を設ければ、機器ケースの凹凸部の表面に設けられた反射処理層によって紫外線領域の光が乱反射されて、機器ケースの外側の表面の一部に設けられた発光部に照射されると共に、凹凸部の発光部にも照射され、これにより各発光部が紫外線領域の光に反応して可視光線領域の光を発光するので、機器ケースの発光部と凹凸部の発光部との両方の発光による装飾効果が得られると共に、凹凸部に設けられた発光部によって立体的な装飾効果を得ることができ、より一層、装飾性に優れたものを得ることができる。
【図面の簡単な説明】
【図１】この発明を腕時計に適用した第１実施形態の平面図。
【図２】図１のＡ−Ａ矢視における要部の拡大断面図。
【図３】図２の第１実施形態の変形例を示した要部の拡大断面図。
【図４】この発明を腕時計に適用した第２実施形態における要部の拡大断面図。
【図５】図４の第２実施形態の変形例を示した要部の拡大断面図。
【図６】この発明を腕時計に適用した第３実施形態における要部の拡大断面図。
【図７】この発明を腕時計に適用した第４実施形態における要部の拡大断面図。
【図８】この発明を腕時計に適用した第５実施形態における要部の拡大断面図。
【図９】図８の液晶表示素子の要部を拡大した断面図。
【図１０】この発明を携帯電話機に適用した第６実施形態の外観斜視図。
【図１１】図１０のＢ−Ｂ矢視における要部の拡大断面図。
【符号の説明】
１　腕時計ケース
２　時計ガラス
４、３５　時計モジュール
７　操作釦
９　文字板
１１　指針
１２　紫外線発光素子
１３、５７　見切り部
１４、５８　入光部
１５、２１、２６、３０、３７　発光部
１６　反射処理層
２０、５９　出光部
２５　凹凸部
３６、５６　液晶表示素子
５０　機器ケース
５１　保護ガラス
５４　モジュール
【図１】
2004069553.tif 000003
【図２】
2004069553.tif 000004
【図３】
2004069553.tif 000005
【図４】
2004069553.tif 000006
【図５】
2004069553.tif 000007
【図６】
2004069553.tif 000008
【図７】
2004069553.tif 000009
【図８】
2004069553.tif 000010
【図９】
2004069553.tif 000011
【図１０】
2004069553.tif 000012
【図１１】
2004069553.tif 000013